(57)【要約】【課題】  小型で、所望の照度を得ることが可能な光学媒体や発光体を提供する。【解決手段】  複数の光源１ａ〜１ｄの主発光部のすべてを、空気を介してそれぞれ収納する複数の独立した井戸型の凹部６ａ〜６ｄを有し、光源１ａ〜１ｄからの複数の光を出射する単一の湾曲面からなる出射面３を頂部とする蒲鉾型の照明用光学媒体であって、井戸型の凹部６ａ〜６ｄのそれぞれは、複数の光源１ａ〜１ｄのそれぞれの光軸方向の光を入射する入射面２ａ〜２ｄとして機能する底部と、それぞれの光軸方向の光以外の複数の光源１ａ〜１ｄからのそれぞれの迷光成分の入射部として機能する円筒形状の凹部側壁５ａ〜５ｄとからなる。【選択図】      図５
2004214208.tif 000002
【特許請求の範囲】
【請求項１】
複数の光源の主発光部のすべてを、空気を介してそれぞれ収納する複数の独立した井戸型の凹部を有し、前記光源からの複数の光を出射する単一の湾曲面からなる出射面を頂部とする蒲鉾型の照明用光学媒体であって、
前記井戸型の凹部のそれぞれは、前記複数の光源のそれぞれの光軸方向の光を入射する入射面として機能する底部と、前記それぞれの光軸方向の光以外の前記複数の光源からのそれぞれの迷光成分の入射部として機能する円筒形状の凹部側壁とからなることを特徴とする光学媒体。
【請求項２】
複数の光源と、
該複数の光源の主発光部を、空気を介してそれぞれ収納する複数の独立した井戸型の凹部を有し、前記光源からの複数の光を出射する単一の湾曲面からなる出射面を頂部とする蒲鉾型の光学媒体
とを備える照明用の発光体であって、前記井戸型の凹部のそれぞれは、前記複数の光源のそれぞれの光軸方向の光を入射する入射面として機能する底部と、前記それぞれの光軸方向の光以外の前記複数の光源からのそれぞれの迷光成分の入射部として機能する円筒形状の凹部側壁とからなることを特徴とする発光体。
【発明の詳細な説明】
【技術分野】
【０００１】
本発明は、白熱球、小型放電管（有極放電ランプ）、無電極放電ランプ、半導体発光素子等の小型光源の応用技術に係り、特にこの小型光源用の光学媒体、この光学媒体を用いた発光体に関する。
【背景技術】
【０００２】
白熱球からの光は、基本的には全立体角４πの方向に発散する。従って、従来技術において、レンズを用いて、この白熱球からの光を平行光線とする場合、最も集光効率を良くしようとすれば無限大の直径のレンズが必要ということになる。無限大の直径のレンズは、現実的ではないので、通常はある寸法に限定せざるを得ない。しかし、この事実は、現実の光学系においては、かなりの割合で光エネルギを損失していることになる。
【０００３】
ところで、日本における交通事故は、年々増加する傾向にある。そのうち自転車に関係する事故件数は約３％を占めている。自転車事故の中で特に目立つのが夜間での「無点灯走行」による事故で、自転車用ランプの装着率は、１００％近いのにかかわらず、その点灯率は２０％と大変低い。これは自転車に装着されているランプはそのほとんどが発電機（ダイナモ式）であるため、（イ）ランプをつけるとペダルが重くなり、脚に負担がかかる。（ロ）発電機と車輪が接触する時に不快音が出る。（ハ）道路に水たまりやぬかるみがあると、発電機が水や泥を飛散し、衣服を汚す。（ニ）発電機は、自転車のスピードが落ちるとライトが暗くなる等の理由で、無灯火のまま走行する人が多い。夜間無点灯の自転車と自動車（若しくは対歩行者）の事故の場合、自転車側に責任があるケースが多く見られ、自転車運転者の責任が問われる。この様な状況からは電池式の小型・軽量で且つ明るい照明器具が待望されている。  
また、アウトドア用の照明器具として、小型で電池寿命の長く、且つ明るい携帯用照明器具が待望されている。
【発明の開示】
【発明が解決しようとする課題】
【０００４】
本発明は上記課題を解決するためになされたものである。従って、本発明の目的は、光学系のサイズを大きくせず、白熱球等の光源からの出力光をより効率良く集光出来る光学媒体を提供することである。
【０００５】
本発明の他の目的は、安価で十分な照度と長期間に渡る安定性と信頼性を有した小型・軽量の発光体を提供することである。
【課題を解決するための手段】
【０００６】
本発明の第１の特徴は、複数の光源の主発光部のすべてを、空気を介してそれぞれ収納する複数の独立した井戸型の凹部を有し、光源からの複数の光を出射する単一の湾曲面からなる出射面を頂部とする蒲鉾型の照明用光学媒体に関する。ここで、井戸型の凹部のそれぞれは、複数の光源のそれぞれの光軸方向の光を入射する入射面として機能する底部と、それぞれの光軸方向の光以外の複数の光源からのそれぞれの迷光成分の入射部として機能する円筒形状の凹部側壁とからなる。具体的には、入射面及び出射面は光伝送部の端面として存在し得る。白熱球等の発光に際して発熱を伴う光源を用いる場合は、「透明の固体」としては、耐熱性光学材料を用いれば良い。耐熱性光学材料としては、耐熱ガラス、耐熱性樹脂、或いは半導体等の結晶性材料が使用可能である。
【０００７】
本発明の第１の特徴に係る光学媒体は、集光効率が高いので、小型な構造で所望の照度を簡単に得ることができる。この照度は従来公知のレンズ等の光学系を同一の幾何学的寸法とした場合では達成不可能な照度である。即ち、従来の技術常識では予測出来ない照度を、小さな寸法で実現出来るものである。
【０００８】
本発明の第２の特徴は、複数の光源と、この複数の光源の主発光部を、空気を介してそれぞれ収納する複数の独立した井戸型の凹部を有し、光源からの複数の光を出射する単一の湾曲面からなる出射面を頂部とする蒲鉾型の光学媒体とを備える照明用の発光体に関する。ここで、井戸型の凹部のそれぞれは、複数の光源のそれぞれの光軸方向の光を入射する入射面として機能する底部と、それぞれの光軸方向の光以外の複数の光源からのそれぞれの迷光成分の入射部として機能する円筒形状の凹部側壁とからなる。ここで、「光源」としては、白熱球、小型放電管、無電極放電ランプ、半導体発光素子等が採用可能である。白熱球には、沃素（Ｉ２）タングステンランプ等のハロゲンランプ、ピリケン球とも称せられるキセノン（Ｘｅ）タングステンランプ（クセノンランプ）やクリプトン（Ｋｒ）タングステンランプ（クリプトンランプ）、ニップル球若しくはスポット球とも称せされる真空若しくはアルゴンガス封入の豆球等が含まれる。更にハロゲンミニチュアランプ等のミニチュアランプも白熱球に含まれる。小型放電管としては、蛍光放電管の他、小型キセノンランプ、小型メタルハライドランプ、小型高圧ナトリウムランプ、小型水銀灯が使用可能である。無電極放電ランプとしては、石英ガラス等から構成された管球中にアルゴン（Ａｒ）、ネオン（Ｎｅ）、キセノン（Ｘｅ）、クリプトン（Ｋｒ）等の希ガス及びガリウム（Ｇａ）、インジウム（Ｉｎ）、タリウム（Ｔｌ）等の金属ハロゲン化物、水銀（Ｈｇ）、亜鉛（Ｚｎ）、硫黄（Ｓ）、セレン（Ｓｅ）、テルル（Ｔｅ）等の放電媒体を封入した構造を用いることが可能である。そして、例えば、１００ＭＨｚ乃至２．４５ＧＨｚ、若しくは更に高周波のマイクロ波をこの管球に印加すれば、放電媒体が放電して発光する。小型化のためには、マイクロ波はトランジスタ発振回路で構成すれば良い。更に、無電極放電ランプの管球そのものを、本発明の光学媒体が兼用する構造とすることが好ましい。この様にすれば、本発明の凹部に、所定の放電媒体を封入することにより、極めて小型の無電極放電ランプを光源とする発光体が完成する。半導体発光素子としては、発光ダイオード（ＬＥＤ）や半導体レーザが使用可能である。
【０００９】
本発明の第２の特徴に係る発光体によれば、光学系を大型化せず、所望の照度とビームの平行性を簡単に得ることができる。この照度は、同一幾何学的寸法の従来公知の光学系では達成不可能な照度で、従来の技術常識では予測出来ない十分な明るさである。  特に、ＬＥＤ等のハロゲンランプ等に比して、一般に照度が足りない光源を用いた場合でも、十分な明るさとビームの平行性が得られる。ＬＥＤは、電力消費量が少ないため、電池の寿命が極めて長い照明器具を構成出来る。また、この照明器具は、長期間に渡る安定性と信頼性に優れている。
【００１０】
複数の光源（従って、対応する複数の独立した井戸型凹部）は、同一平面レベルに、２次元配置しても良く、多層構造とし、それぞれの層に複数の光源を配置した３次元配置でもかまわない。
【発明の効果】
【００１１】
本発明によれば、光学系のサイズを大きくせず、白熱球等の光源からの出力光をより効率良く集光出来る光学媒体を提供することができる。
【００１２】
また、本発明によれば、安価で十分な照度と長期間に渡る安定性と信頼性を有した発光体を提供することができる。
【発明を実施するための最良の形態】
【００１３】
次に、図面を参照して、本発明の第１乃至第１０の実施の形態を説明する。以下の図面の記載において、同一又は類似の部分には同一又は類似の符号を付している。但し、図面は模式的なものであり、厚みと平面寸法との関係、各層の厚みの比率等は現実のものとは異なることに留意すべきである。従って、具体的な厚みや寸法は以下の説明を参酌して判断すべきものである。また図面相互間においても互いの寸法の関係や比率が異なる部分が含まれていることは勿論である。
【００１４】
（第１の実施の形態）
図１は、本発明の第１の実施の形態に係る発光体を示す模式的な断面図である。図１に示すように、本発明の第１の実施の形態に係る発光体は、所定の波長の光を発する光源１と、この光源１の主発光部をほぼ完全に覆う光学媒体２０とから少なくとも構成されている。そして、この光学媒体２０は、入射面２と、この入射面２を底部とし、底部に連続して形成された凹部側壁５とから構成された井戸型の凹部６と、入射面２から入射した光を出射する出射面３と、入射面２と出射面３とを接続し、光源から発せられた光の波長に対して透明の固体からなる光伝送部４とを有する。
【００１５】
光源１は、例えば、最大部の直径（外径）２〜３ｍｍφの沃素（Ｉ２）タングステンランプ（ハロゲンランプ）、即ち豆ランプ形状の白熱球である。光学媒体２０は、断面が図１に示すような弾丸型の形状である。光学媒体２０の凹部６の凹部側壁５は、光源（白熱球）１の主発光部を収納出来るように、直径（内径）２.５〜４ｍｍφの円筒形状（井戸型形状）となっている。図示を省略しているが、光源１と光学媒体２０とを固定するために、光源１のソケット部と光学媒体２０の凹部６との間には、厚さ１〜２．５ｍｍ程度のスペーサが挿入されている（「ソケット部」とは図１において、光源１の電極リード側（左側）の部位を意味する。）。スペーサには、空気が出入り出来る換気孔が設けられ、光源１を冷却出来るようになっている。なお、井戸型の凹部６には、光源（白熱球）１の主発光部が収納されれば良く、光源１のソケット部は凹部６の外部でもかまわない。この場合は、光源１のソケット部に設けられた取り付けジグが井戸型の凹部６に対して固定される。弾丸型の光学媒体２０の円柱形状部の直径（外径）は、本発明の第１の実施の形態に係る発光体の使用目的に応じて選択出来る。従って、１０ｍｍφ以下でも、３０ｍｍφ以上でもかまわない。本発明の第１の実施の形態に係る光学媒体２０は、空気の屈折率ｎ０とは異なる屈折率ｎ１有する。入射面２と出射面３との間の距離、即ち光伝送部４の厚さは、井戸型の凹部６の深さと同程度以上が好ましい。例えば、光伝送部４の厚さを、井戸型の凹部６の深さの２乃至３倍とすることが好ましい。
【００１６】
図１において、入射面２（底部）以外の凹部６の凹部側壁５も、有効な光の入射部として機能し得る。光源１と光学媒体２０の凹部６との間にはそれぞれの界面で反射した光の成分が多重反射し、迷光成分となっている。従来公知のレンズ等の光学系では、これらの迷光成分は、照明に寄与出来るように取り出すことはできない。しかし、これらの迷光成分も、本発明の第１の実施の形態においては、井戸型の凹部６の内部に閉じこめられているので、最終的には、照明に寄与出来る成分となり得る。この様に、本発明の第１の実施の形態においては、光源１が光学媒体２０の凹部６にほぼ完全に閉じこめられているので、光源１から発せられる迷光成分も含めて、すべての出力光が有効に照明に寄与出来るようになる。
【００１７】
この様にして、本発明の第１の実施の形態に係る発光体によれば、照明に寄与する光ビームとして所望の平行性と照射面積の光束を確保し、且つ所望の照度を簡単に得ることができる。この照度は従来公知のレンズ等の光学系では達成不可能な照度である。この様に、本発明の第１の実施の形態に係る発光体によれば、従来の技術常識では全く予測出来ない照度を、図１に示すような小型且つ簡単な構造で、実現出来る。参考までに、本発明と同程度の集光特性を得るためには、従来の凸レンズを用いた場合は、その直径が、本発明の光学媒体２０の円柱部直径の３倍程度必要である。従って、１／３の小型化が達成されたことになる。
【００１８】
本発明の第１の実施の形態に係る発光体に用いる光学媒体２０としては、光源（白熱球）１の発熱を考慮すると、耐熱性光学材料が好ましい。耐熱性光学材料としては、石英ガラス、サファイアガラス等の耐熱ガラスが好ましい。或いは、ポリサルホン樹脂、ポリエーテルサルホン樹脂、ポリカーボネイト樹脂、ポリエーテルエステルアミド樹脂、メタクリル樹脂、非晶性ポリオレフィン樹脂、パーフルオロアルキル基を有する高分子材料等の耐熱性樹脂等の耐熱性光学材料が使用可能である。酸化亜鉛（ＺｎＯ）、硫化亜鉛（ＺｎＳ）、炭化珪素（ＳｉＣ）等の結晶性材料でも良い。なお、光源１として、ＬＥＤ等の半導体発光素子を用いる場合は、発熱作用を伴わないので、アクリル樹脂等の、耐熱性が弱い樹脂を使用することが可能である。
【００１９】
本発明の第１の実施の形態に係る発光体は、小型な構造で、所望の平行性と照度を簡単に得ることができるので、カメラ内蔵のストロボとして使用出来る。この場合、キセノンランプやハロゲンランプを光源として用いれば良い。また、第１の実施の形態に係る発光体を複数個配列して照明器具等を構成出来る。この場合は、１次元的、２次元的、或いは３次元的な配列が可能である。例えば、１０個程度の第１の実施の形態に係る発光体を束にして、写真撮影の際のフラッシュを構成出来る。
【００２０】
［第１の実施の形態の変形例１］
本発明の第１の実施の形態に係る発光体において、図２に示すように、第１の光学媒体２２の外側に第２の光学媒体２３を配置し、更に、第２の光学媒体２３の外側に第３の光学媒体２４を配置すれば、光源１の光のビーム径を更に広い照射面積となるように拡大することが可能である。第２の光学媒体２３は、第１の光学媒体２２と同様に、光の波長に対して透明の固体からなり、第２の入射面を底部に有し、第１の光学媒体２２を収納するための第２の凹部と、第２の入射面に対向した第２の出射面とを具備している。また、第３の光学媒体２４は、第３の入射面を底部に有し、第２の光学媒体３を収納するための第３の凹部と、第３の入射面に対向した第３の出射面とを具備している。
【００２１】
そして、屈折率ｎ２を有する第１の光学媒体２２は、屈折率ｎ０を有する空気を介して光源１を収納している。更に、屈折率ｎ３を有する第２の光学媒体２３は、屈折率ｎ０を有する空気を介して第１の光学媒体２２を収納している。そして、屈折率ｎ４を有する第３の光学媒体４は、空気を介して第２の光学媒体２３を収納している。空気以外の流体若しくは流動体を介して光源１、第１の光学媒体２２及び第２の光学媒体２３を、それぞれの凹部に収納しても良い。また、屈折率ｎ２、屈折率ｎ３若しくは、屈折率ｎ４を次第に大きく、或いは、次第に小さくするようにして光路設計をしても良い。
【００２２】
本発明の第１の実施の形態の変形例１のように、ビーム径をあまり広げすぎると照度が減少するので、懐中電灯のような目的には不適となるが、均一な照明を必要とするバックライト（間接照明系）には好適となる。
【００２３】
［第１の実施の形態の変形例２］
図１において、光学媒体２は、凹形状の入射面２、及び凸形状の出射面３を有していた。しかし、図１は例示であり、入射面２や出射面３は、目的に応じて、種々の形状が採用可能である。
【００２４】
図３は、本発明の第１の実施の形態の変形例２として、凹形状の出射面３を有す光学媒体２１を示す。図３に示すような凹形状の出射面３を用いると、光は分散する傾向になるので、バックライト（間接照明系）には好適な均一性を得ることができる。また、図３に示す構造はアウトドア用のランタンとしても好適である。
【００２５】
（第２の実施の形態）
図４に示すように、本発明の第２の実施の形態に係る発光体は、発光面となる出射面３と、出射面３に対向した後面と、出射面３と後面とを接続する光伝送部と、後面の一部から出射面３方向に沿って光伝送部の内部に形成された井戸型の凹部６とを少なくとも有する光学媒体２５と、井戸型の凹部６に収納された光源１と、光学媒体２５の後面に配置された背面鏡５５とからなる。背面鏡５５は、光学媒体２５の側面の一部にまで延長されて形成されている。図４では、背面鏡５５は、光学媒体２５の側面の一部を被覆しているが、光学媒体２５の側面のほぼ全面を被覆するように形成してもかまわない。背面鏡５５は、Ａｌ、真鍮、ステンレス等の金属を図４に示す形状に旋盤・フライス盤等を用いて研削加工、若しくはプレス加工機等により成型加工し、その後、その表面を研磨して構成すれば良い。更に、これらの表面にニッケル（Ｎｉ）鍍金や金（Ａｕ）鍍金を施せば反射率が向上するので好ましい。安価、且つ簡便な方法としては、Ａｌ薄膜等の反射率の高い金属薄膜を接着した構造でもかまわない。或いは、熱可塑性樹脂を押出成形若しくは射出成形により図４に示す形状に加工し、この表面にＡｌ箔等の反射率の高い金属薄膜や誘電体多層膜を真空蒸着やスパッタリングで堆積した構造、若しくは高反射性ポリエステル白色フィルム等を接着した構造でもかまわない。更に、光学媒体２５の後面に反射率の高い金属薄膜や誘電体多層膜を真空蒸着やスパッタリングで直接堆積した構造や、反射率の高い金属薄膜を鍍金により形成した構造やこれらの複合膜でもかまわない。
【００２６】
背面鏡５５には、第１のピン２７及び第２のピン２８を絶縁体９３，９４を介して貫通させる穴があいている。絶縁体９３，９４により、導電性の背面鏡５５により第１のピン２７と第２のピン２８とを電気的に短絡しないようにしている。第１のピン２７に接続されたリード９１、及び第２のピン２８に接続されたリード９２を介して光源１に電力が供給される。光源１から左方向（表方向）に出力する光は、所定の発散角で指向性を有して出射面３から出力される。一方、光源１から右方向（裏方向）に出力する光は、背面鏡５５で反射され、光源１の表面から左方向に出力される。結局、光源１の右方向（裏方向）に出力する光も、頂部近傍が凸形状の出射面３により所定の発散角が与えられる。
【００２７】
光学媒体２５の凹部６の凹部側壁５は、光源１を収納出来るように、直径（内径）２.５〜４ｍｍφの円筒形状（井戸型形状）となっている。この光学媒体２５は両端面が球面で中央部が円柱形状をなしている。円柱形状部分の直径（外径）は、１０〜３０ｍｍφである。光学媒体２５の直径（外径）は、本発明の第２の実施の形態に係る発光体の使用目的に応じて選択出来る。従って、１０ｍｍφ以下でも、３０ｍｍφ以上でもかまわない。
【００２８】
光源１として白熱球を用いる場合は、光学媒体２５としては、透明で耐熱性に優れたプラスチック材料、耐熱ガラス材料等が好ましい。有色の耐熱性樹脂や蛍光材料を含んだ耐熱樹脂等も使用可能である。光源１としてＬＥＤ等の半導体発光素子を用いる場合は、発熱量がはるかに少ないので、アクリル樹脂等の耐熱性の劣る材料が使用可能である。アクリル樹脂やポリ塩化ビニル樹脂等の熱可塑性樹脂は、光学媒体２５を大量生産するのに好適な材料である。即ち、一度金型を作り、この金型により押出成形若しくは射出成形すれば光学媒体２５が簡単に大量生産出来る。ガラス材料としては、耐熱性が必要ならば石英ガラスが好ましい。その他、光源１の特性に応じて、ソーダ石灰ガラス、ホウケイ酸ガラス、鉛ガラス等の種々のガラス材料を選定可能である。或いは、ＺｎＯ、ＺｎＳ、ＳｉＣ等の結晶性材料を用いてもかまわない。
【００２９】
本発明の第２の実施の形態においては、光源１が光学媒体２５の凹部６にほぼ完全に閉じこめられ、光学媒体２５の後面には、背面鏡５５が配置されている。井戸型の凹部６に着目すれば、底部の入射面２以外の凹部６の凹部側壁５も、有効な光の入射部として機能し、凹部側壁５を透過した迷光成分は、背面鏡５５で反射され、最終的には出射面３側から出力可能である。また、光源１と光学媒体２５の凹部６との間にはそれぞれの界面で反射し、種々の方向に多重反射した迷光成分も存在する。これらの迷光成分も、本発明の第２の実施の形態においては、井戸型の凹部６の内部に閉じこめられ、背面鏡５５により内部で反射し、出射面３側に導かれる。この結果、これらの迷光成分がすべて最終的には出射面３から出力される。
【００３０】
この様にして、本発明の第２の実施の形態に係る発光体によれば、レンズとしての光学媒体２５の大型化を伴うことなく、照明に寄与する光ビームとして所望の照射面積の光束を確保し、且つ所望の照度を簡単に得ることができる。この照度は従来公知のレンズ等の光学系では達成不可能な照度である。この様に、本発明の第２の実施の形態に係る発光体によれば、従来の技術常識では全く予測出来ない照度を、図４に示すような小型且つ簡単な構造で、実現出来る。
【００３１】
なお、本発明の第２の実施の形態に係る発光体に用いる光源１としては、白熱球や小型放電管、無極放電ランプの他、半導体発光素子が使用可能である。無極放電ランプの場合、背面鏡５５をマイクロ波の給電手段に用いることができる。従って、マイクロ波の波長を考えて、共振波長となるように背面鏡５５の寸法を選べば良い。無極放電ランプの寸法は、マイクロ波の周波数が高くなればなるほど小さくなり、放電効率が上昇する。従って、ミリ波帯以上の高周波のマイクロ波が好ましい。半導体発光素子としては、種々の色（波長）の両面発光ＬＥＤが使用可能である。但し、懐中電灯のような照明目的のためには、白色ＬＥＤが人間の目には自然であるので好ましい。白色ＬＥＤは種々の構造のものが使用出来る。例えば、赤（Ｒ）、緑（Ｇ）及び青（Ｂ）の３枚の両面発光型ＬＥＤチップを透明基板上に縦に積層、若しくは点光源と見なせる距離に互いに近接配置して構成しても良い。そして、この白色ＬＥＤを、図４に示す光源１として用い、本発明の第２の実施の形態に係る発光体を構成し、白色光源１に対して所定電圧が印加できるように電池ケースとこの電池ケースの中の電池（例えば単３電池）を収納すれば、ペンタイプの細身の懐中電灯（携帯用照明器具）が完成する。この電池の陽極及び陰極にそれぞれ、白色光源１の電極を接続する構造とすれば良いのである。この結果、簡単な構造で、製造単価の低い懐中電灯（携帯用照明器具）が提供出来る。この懐中電灯（携帯用照明器具）は、長期間に渡る安定性と信頼性に優れ、特に、電力消費量が少ないため、電池の寿命が長いという従来予測出来なかった優れた特性を有する。なお、ＲＧＢの３枚のＬＥＤチップを集積化した場合には、ＲＧＢのそれぞれの発光強度を調整し、混合することにより、可視光帯スペクトルのすべての色が発生出来る。この場合、実際には、製造工程上のばらつきにより、色むらが発生する場合があるが、背面鏡５５で、ＲＧＢのＬＥＤチップからの光をそれぞれ反射し、混合することにより、各色のバランスを取り、色むらを解消出来る利点を有する。
【００３２】
本発明の第２の実施の形態に係る発光体は、小型な構造で、所望の平行性と照度を簡単に得ることができるので、カメラ内蔵のストロボとして使用出来る。この場合、キセノンランプやハロゲンランプを光源として用いれば良い。また、第２の実施の形態に係る発光体を複数個配列して照明器具等を構成出来る。この場合は、１次元的、２次元的、或いは３次元的な配列が可能である。例えば、１０個程度の発光体を束にして、写真撮影の際のフラッシュを構成出来る。  
更に、図２と同様に、光学媒体（第１の光学媒体）２５の外側に第２の光学媒体を配置し、更に、第２の光学媒体の外側に第３の光学媒体，・・・・・を配置すれば、光源１の光のビーム径を更に広い照射面積となるように拡大することが可能である。第２の光学媒体は、第１の光学媒体２５と同様に、光の波長に対して透明の固体からなり、第１の光学媒体２５を収納するための凹部と、出射面とを具備している。また、第３の光学媒体は、第２の光学媒体を収納するための凹部を有するようにしておけば良い。図４において、光学媒体２５の出射面３は、凸形状の出射面３を有している。しかし、図４は例示であり、湾曲面は、目的に応じて、種々の形状が採用可能であり、図３と同様な凹形状の出射面３を有す光学媒体でも良い。凹形状の湾曲面を出射面３（発光面）に用いると、光は分散する傾向になるので、種々のバックライト（間接照明系）に好適な均一性を得ることができる。
【００３３】
（第３の実施の形態）
自転車用ランプとしてはダイナモ式よりも電池方式の方が好ましいことは冒頭で述べた。自転車用ランプとして要求されるのは、十分な明るさと、電池の寿命が長いことである。電池の寿命を長くするために、消費電力が少ない光源が好ましい。この点ではＬＥＤを用いれば良い。しかし、ＬＥＤは一般に照度が足りない。本発明の第３の実施の形態では、ＬＥＤを使って且つ十分な明るさが得られる発光体について説明する。
【００３４】
図５は、本発明の第３の実施の形態に係る発光体を示す模式的な断面図である。図５に示すように、本発明の第３の実施の形態に係る発光体は、所定の波長の光を発する複数の光源（第１乃至第４光源）１ａ〜１ｄと、この第１乃至第４光源１ａ〜１ｄを、それぞれ独立に収納し、それぞれの主発光部をほぼ完全に覆う光学媒体２６とから少なくとも構成されている。第１乃至第４光源１ａ〜１ｄを、それぞれ独立に収納するために、光学媒体２６には複数の独立した井戸型の凹部（第１乃至第４凹部）６ａ〜６ｄが設けられている。
【００３５】
井戸型の第１乃至第４凹部６ａ〜６ｄは、それぞれ独立した第１乃至第４入射面２ａ〜２ｄと、この第１乃至第４入射面２ａ〜２ｄを底部とし、底部に連続して形成され、互いに独立した第１乃至第４凹部側壁５ａ〜５ｄとから構成されている。複数の入射面２ａ〜２ｄから入射した複数の光を出射する出射面３は、単一の湾曲面から構成されている。光伝送部４は、第１乃至第４入射面２ａ〜２ｄと出射面３とを接続し、光源から発せられた光の波長に対して透明の固体からなる光伝送部４とを有する。
【００３６】
第１乃至第４光源１ａ〜１ｄは、例えば、最大部の直径（外径）２〜３ｍｍφの弾丸型ＬＥＤである。光学媒体２６は、断面が図５に示すような蒲鉾型の形状である。光学媒体２６中に設けられた第１乃至第４凹部６ａ〜６ｄのそれぞれの第１乃至第４凹部側壁５ａ〜５ｄは、第１乃至第４光源（弾丸型ＬＥＤ）１ａ〜１ｄの主発光部を収納出来るように、直径（内径）２.５〜４ｍｍφの円筒形状（井戸型形状）となっている。図示を省略しているが、第１乃至第４光源１ａ〜１ｄと光学媒体２６とを固定するために、第１乃至第４光源１ａ〜１ｄと第１乃至第４凹部６ａ〜６ｄとの間には、それぞれ厚さ０．２〜０．５ｍｍ程度のスペーサが挿入されている。蒲鉾型の光学媒体２６の幅は、本発明の第３の実施の形態に係る発光体の使用目的に応じて選択出来る。従って、３０ｍｍφ以下でも、１００ｍｍφ以上でもかまわない。また、図１では、４つの光源１ａ〜１ｄが示されているが、光源の数は、５つ以上であっても、３つ以下でもかまわない。しかし、自転車用であれば３乃至５程度で十分である。また、図５では同一平面レベルに、４つの光源１ａ〜１ｄを２次元配置した構造であるが、２層構造とし、上層に第１及び第２光源１ａ，１ｂ、下層に第３及び第４光源１ｃ，１ｄを配置した３次元配置でもかまわない。更に、第２の実施の形態と同様に、第１乃至第４光源１ａ〜１ｄに対し、それぞれ第１乃至第４背面鏡を設けても良い。
【００３７】
自転車用ランプや懐中電灯のような照明目的のためには、第２の実施の形態において説明したように、白色ＬＥＤが人間の目には自然であるので好ましい。白色ＬＥＤは、第２の実施の形態において説明したような、ＲＧＢの３枚のＬＥＤチップが一つのパッケージ内に、縦に積層、若しくは互いに近接配置した構造を採用すれば良い。即ち、弾丸型の樹脂封止体の内部に、それぞれＲＧＢの３枚のＬＥＤチップを実装した第１乃至第４の白色ＬＥＤを用意すれば良い。そして、第１乃至第４白色ＬＥＤに対して、それぞれ所定電圧が印加できるように電池ケースとこの電池ケースの中の電池（例えば単３電池）を収納すれば、自転車用ランプが完成する。この自転車用ランプは、自転車のハンドル等に取り付けるためのアタッチメントを設けておけば良いことは勿論である。この電池の陽極及び陰極にそれぞれ、第１乃至第４光源１ａ〜１ｄとしての第１乃至第４白色ＬＥＤの電極を接続する構造とすれば良いのである。この結果、簡単な構造で、製造単価の低い自転車用ランプや懐中電灯が提供出来る。この自転車用ランプや懐中電灯は、長期間に渡る安定性と信頼性に優れ、特に、電力消費量が少ないため、電池の寿命が極めて長い。
【００３８】
本発明の第３の実施の形態に係る光学媒体２６は、空気の屈折率ｎ０とは異なる屈折率ｎ１有する。光学媒体２６の第１乃至第４凹部６ａ〜６ｄの第１乃至第４凹部側壁５ａ〜５ｄも、第１乃至第４光源１ａ〜１ｄに対する有効な光の入射部として機能し得る。第１乃至第４光源１ａ〜１ｄと光学媒体２６の第１乃至第４凹部６ａ〜６ｄとの間にはそれぞれの界面で反射した光の成分が多重反射し、迷光成分となっている。従来公知のレンズ等の光学系では、これらの迷光成分は、照明に寄与出来るように取り出すことはできない。しかし、これらの迷光成分も、本発明の第３の実施の形態においては、第１乃至第４凹部６ａ〜６ｄの内部に閉じこめられているので、最終的には、照明に寄与出来る成分となり得る。この様に、本発明の第３の実施の形態においては、第１乃至第４光源１ａ〜１ｄが光学媒体２６の第１乃至第４凹部６ａ〜６ｄにほぼ完全に閉じこめられているので、第１乃至第４光源１ａ〜１ｄから発せられる迷光成分も含めて、すべての出力光が有効に照明に寄与出来るようになる。
【００３９】
この様にして、本発明の第３の実施の形態に係る発光体によれば、自転車用ランプとしての使用可能な所望の平行性を有した光束を確保し、且つ所望の照度を簡単に得ることができる。この照度は従来公知のレンズ等の光学系では達成不可能な照度である。この様に、本発明の第３の実施の形態に係る発光体によれば、従来の技術常識では全く予測出来ない照度を、図５に示すような簡単な構造で、実現出来る。
【００４０】
本発明の第３の実施の形態に係る発光体に用いる光学媒体２６としては、透明プラスチック材料、ガラス材料等が使用可能で、有色の樹脂や蛍光材料を含んだ樹脂等も使用可能である。この内、アクリル樹脂やポリ塩化ビニル樹脂等の熱可塑性樹脂は、光学媒体２６を大量生産するのに好適な材料である。即ち、一度金型を作り、この金型により押出成形若しくは射出成形すれば光学媒体２６が簡単に大量生産出来る。ガラス材料としては、石英ガラス、ソーダ石灰ガラス、ホウケイ酸ガラス、鉛ガラス等の種々のガラス材料が使用可能である。或いは、ＺｎＯ、ＺｎＳ、ＳｉＣ等の結晶性材料を用いてもかまわない。第１乃至第４光源１ａ〜１ｄとして、ＬＥＤの他に、ハロゲンランプ等の白熱球、或いは小型放電管、無極放電ランプ等の他の光源も使用可能である。ハロゲンランプ等の発熱を考慮すると、発熱を伴う光源の場合は、光学媒体２６は、耐熱性光学材料が好ましい。耐熱性光学材料としては、石英ガラス、サファイアガラス等の耐熱ガラスが好ましい。或いは、ポリカーボネイト樹脂等の耐熱性樹脂等の耐熱性光学材料が使用可能である。ＺｎＯ、ＺｎＳ、ＳｉＣ等の結晶性材料でも良い。
【００４１】
冒頭で述べたような無点灯走行による交通事故を防止するためには、明度センサを設け、暗くなったら自動的に点灯するようにすれば良い。ＬＥＤは消費電力が少ないので無人の状態で点灯していてもかまわない。しかし、より電池の寿命を長くするためには、サドル及び（又は）ペダルに加重センサを設け、運転時のみ点灯するようにすれば良い。即ち、明度センサの信号と加重センサの信号の論理積（ＡＮＤ）回路を設け、暗く、且つ運転時のみの場合に自動点灯し、加重センサの信号が消えたら自動消灯するようにすれば良い。
【００４２】
（第４の実施の形態：棒状発光体）
図６（ａ）は、本発明の第４の実施の形態に係る棒状発光体を示すための軸方向に沿った模式的な断面図で、図６（ｂ）は図６（ａ）のＡ−Ａ方向から見た断面図である。図６に示すように、本発明の第４の実施の形態に係る発光体は、互いに対向配置され、所定の波長の光を発する第１の光源４１及び第２の光源４２と、これらの第１の光源４１及び第２の光源４２を、それぞれの主発光部をほぼ完全に覆うような第１及び第２の井戸型の凹部を具備した第１の光学媒体５１及び第２の光学媒体５２とから少なくとも構成されている。
【００４３】
即ち、第１の光学媒体５１は、第１の入射面を底部とし、この底部に連続して形成された凹部側壁とから構成された第１の井戸型の凹部と、第１の入射面から入射した光を出射する第１の出射面と、第１の入射面と第１の出射面とを接続し、第１の光源４１から発せられた光を伝送する第１の光伝送部とを少なくとも有する。一方、第２の光学媒体５２は、第２の入射面を底部とし、この底部に連続して形成された凹部側壁とから構成された第２の井戸型の凹部と、第２の入射面から入射した光を出射する第２の出射面と、第２の入射面と第２の出射面とを接続し、第２の光源４２の発する光を伝送する第２の光伝送部とを少なくとも有する。
【００４４】
図６（ａ）に示すように、第１の光学媒体５１の第１の出射面は、４つの傾斜面と３つ平坦面からなる連続段差形状部からなる湾曲面を有している。同様に、第２の光学媒体５２の第２の出射面は、４つの傾斜面と３つ平坦面からなる連続段差形状部からなる第２の出射面を有している。そして、第１及び第２の出射面とが互いに対向配置することにより、出力光がそれぞれの傾斜面を介して、図６（ａ）の上方に出射するように構成されている。但し、連続段差形状部を構成する傾斜面及び平坦面の個数は、設計上任意に選択可能である。また、第１及び第２の出射面を構成する第２及び第２の出射面は所定の曲率半径を有したなだらかな湾曲面でも良い。光を特定方向（図６（ａ）の上方に）に発するためには、第１及び第２の出射面からの出力光の方向の反対側に反射板７２を配置することが好ましいことは勿論である。図６（ａ）において、反射板７２は第１の光学媒体５１及び第２の光学媒体５２を搭載する支持基板の役割をも果たしている。更に、図６に示すように、これらの反射板７２、第１の光学媒体５１及び第２の光学媒体５２等は円筒形状の外側カバー７１の内部に収納されている。また、第１の光源４１及び第２の光源４２は、第１の光学媒体５１及び第２の光学媒体５２のそれぞれの凹部に接続された第１の終端部３４及び第２の終端部３５により固定されている。
【００４５】
なお、第１の光学媒体５１及び第２の光学媒体５２とは、薄い透明材料で互いに連続するように構成しても良い。即ち、第１の光学媒体５１、第２の光学媒体５２、及び接続部の薄い透明材料を同一材料とすることにより、一体で構成することも可能である。
【００４６】
本発明の第４の実施の形態に係る棒状発光体は、丁度、第１の実施の形態に係る発光体を２つ用意し、互いに対向配置した構造と解釈することも可能である。
【００４７】
即ち、第１の光源４１及び第２の光源４２は、白熱球、小型放電管、無極放電ランプ、半導体発光素子のいずれでもかまわない。半導体発光素子としては、種々の色（波長）のＬＥＤが使用可能である。但し、照明目的のためには、白色ＬＥＤが人間の目には自然であるので好ましいであろう。この様に、互いに対向した第１の光源４１及び第２の光源４２を配置することにより、照明装置に適した棒状（１次元形状）の発光体を形成出来る。本発明の第４の実施の形態に係る第１の光学媒体５１及び第２の光学媒体５２としては、光源１の発熱を考慮すると、耐熱性光学材料が好ましい。耐熱性光学材料としては、石英ガラス、サファイアガラス等の耐熱ガラスが好ましい。或いは、ポリサルホン樹脂、ポリエーテルサルホン樹脂、ポリカーボネイト樹脂、ポリエーテルエステルアミド樹脂、メタクリル樹脂、非晶性ポリオレフィン樹脂、パーフルオロアルキル基を有する高分子材料等の耐熱性樹脂等の耐熱性光学材料が使用可能である。酸化亜鉛（ＺｎＯ）、硫化亜鉛（ＺｎＳ）、炭化珪素（ＳｉＣ）等の結晶性材料でも良い。なお、光源１として、ＬＥＤ等の半導体発光素子を用いる場合は、発熱作用を伴わないので、アクリル樹脂等の、耐熱性が弱い樹脂を使用することが可能である。
【００４８】
本発明の第４の実施の形態においては、第１の光源４１及び第２の光源４２が、それぞれ、第１及び第２の凹部にほぼ完全に閉じこめられているので、これらの光源４１，４２からの迷光成分が有効に照明に寄与出来るようになる。また、第１の光源４１と第１の光学媒体５１の第１の凹部との間、及び第２の光源４２と第１の光学媒体５２の第２の凹部との間にはそれぞれの界面で反射した光の成分が多重反射し、迷光成分となっているが、これらの迷光成分も、凹部の内部に閉じこめられているので、最終的には、照明に寄与出来る成分となり得る。
【００４９】
（第５の実施の形態：面状発光体）
図７（ｂ）は、本発明の第５の実施の形態に係る面状発光体の模式的な上面図で、図７（ａ）は図７（ｂ）のＢ−Ｂ方向から見た模式的な断面図である。
【００５０】
図７に示すように、本発明の第５の実施の形態に係る面状発光体は、互いに対向配置された複数個の第１の光源４１ａ，４１ｂ，４１ｃ，・・・・・及び複数個の第２の光源４２ｇ，４２ｈ，４２ｉ，・・・・・と、これら複数個の第１の光源４１ａ，４１ｂ，４１ｃ，・・・・・及び複数個の第２の光源４２ｇ，４２ｈ，４２ｉ，・・・・・の周囲を、それぞれの主発光部をほぼ完全に覆う、第１の光学媒体６１及び第２の光学媒体６２とから構成されている。
【００５１】
第１の光学媒体６１は、第１の入射面と、複数個の第１の光源４１ａ，４１ｂ，４１ｃ，・・・・・から発せられる光の波長に対して透明の固体からなる第１の光伝送部と、入射面を底部に有し、第１の光源４１の主発光部を収納するための複数個の第１の凹部と、入射面から入射した光を第１の光伝送部を介して出射する第１の出射面とを具備している。  一方、第２の光学媒体６２は、第２の入射面からなる第２の入射面と、複数個の第２の光源４２ｇ，４２ｈ，４２ｉ，・・・・・から発せられる光の波長に対して透明の固体からなる第２の光伝送部と、第２の入射面を底部に有し、第２の光源４２の主発光部を収納するための複数個の第２の凹部と、第２の入射面から入射した光を第２の光伝送部を介して出射する第２の出射面からなる第２の出射面とを具備している。第１及び第２の凹部は井戸型形状をなしている。
【００５２】
図７（ａ）に示すように、第１の光学媒体６１の第１の出射面は、４つの傾斜面と３つ平坦面からなる連続段差形状部からなる湾曲面を有している。同様に、第２の光学媒体６２の第２の出射面は、４つの傾斜面と３つ平坦面からなる連続段差形状部からなる第２の出射面を有している。そして、第１及び第２の出射面とが互いに対向配置することにより、出力光がそれぞれの傾斜面を介して、図７（ａ）の上方に出射するように構成されている。但し、第１及び第２の出射面を構成する第２及び第２の出射面は所定の曲率半径を有したなだらかな湾曲面でも良い。光を特定方向（図７（ａ）の上方に）に発するためには、第１及び第２の出射面からの出力光の方向の反対側に反射板７２を配置することが好ましいことは勿論である。図７（ａ）において、反射板７２は第１の光学媒体６１及び第２の光学媒体６２を搭載する支持基板の役割をも果たしている。更に、図７に示すように、これらの反射板７２の下には底板３７が配置され、第１の光学媒体６１及び第２の光学媒体６２の上方には、外側カバー３８が設置されている。また、複数個の第１の光源４１ａ，４１ｂ，４１ｃ，・・・・・及び複数個の第２の光源４２ｇ，４２ｈ，４２ｉ，・・・・・は、第１の光学媒体６１及び第２の光学媒体６２のそれぞれの凹部に接続された外周部３６と底板３７とにより固定されている。図示を省略しているが、複数個の第１の光源４１ａ，４１ｂ，４１ｃ，・・・・・と外周部３６若しくは底板３７と間には所定のスペーサが挿入されている。同様に、複数個の第２の光源４２ｇ，４２ｈ，４２ｉ，・・・・・と外周部３６若しくは底板３７と間には所定のスペーサが挿入され、固定されている。
【００５３】
なお、第１の光学媒体６１及び第２の光学媒体６２とは、薄い透明材料で互いに連続するように構成しても良い。即ち、第１の光学媒体６１、第２の光学媒体６２、及び接続部の薄い透明材料を同一材料とすることにより、一体で構成することも可能である。
【００５４】
本発明の第５の実施の形態に係る面状発光体は、丁度、第４の実施の形態に係る棒状発光体を並列配置した構造と解釈することも可能である。複数個の第１の光源４１ａ，４１ｂ，４１ｃ，・・・・・は、白熱球、小型放電管、無極放電ランプ、半導体発光素子のいずれでもかまわない。同様に、複数個の第２の光源４２ｇ，４２ｈ，４２ｉ，・・・・・は、白熱球、小型放電管、無極放電ランプ、半導体発光素子等の光源である。半導体発光素子としては、種々の色（波長）のＬＥＤが使用可能である。但し、照明目的のためには、白色ＬＥＤが好ましい。これらの光源４１ａ，４１ｂ，４１ｃ，・・・・・，及び４２ｇ，４２ｈ，４２ｉ，・・・・・のそれぞれの主発光部の頂部は、図７（ａ）に示すように、凸形状の湾曲面を有している。光源からの光は、所定の発散角で図７（ａ）において、それぞれ対向して左右方向に出力する。この様に、互いに対向した複数個の第１の光源４１ａ，４１ｂ，４１ｃ，・・・・・及び複数個の第２の光源４２ｇ，４２ｈ，４２ｉ，・・・・・を配置することにより、照明装置に適した板状（２次元形状）の発光体を形成出来る。本発明の第５の実施の形態に係る第１の光学媒体６１及び第２の光学媒体６２としては、光源１の発熱を考慮すると、耐熱性光学材料が好ましい。耐熱性光学材料としては、石英ガラス、サファイアガラス等の耐熱ガラスが好ましい。或いは、ポリサルホン樹脂、ポリエーテルサルホン樹脂、ポリカーボネイト樹脂、ポリエーテルエステルアミド樹脂、メタクリル樹脂、非晶性ポリオレフィン樹脂、パーフルオロアルキル基を有する高分子材料等の耐熱性樹脂等の耐熱性光学材料が使用可能である。酸化亜鉛（ＺｎＯ）、硫化亜鉛（ＺｎＳ）、炭化珪素（ＳｉＣ）等の結晶性材料でも良い。なお、光源１として、ＬＥＤ等の半導体発光素子を用いる場合は、発熱作用を伴わないので、アクリル樹脂等の、耐熱性が弱い樹脂を使用することが可能である。
【００５５】
本発明の第５の実施の形態においては、第１の実施の形態において既に説明したように、複数個の第１の光源４１ａ，４１ｂ，４１ｃ，・・・・・及び複数個の第２の光源４２ｇ，４２ｈ，４２ｉ，・・・・・が、それぞれ、第１の光学媒体６１及び第２の光学媒体６２の凹部にほぼ完全に閉じこめられているので、これらの光源からの迷光成分が有効に照明に寄与出来るようになる。また、複数個の第１の光源４１ａ，４１ｂ，４１ｃ，・・・・・と第１の光学媒体６１の凹部との間、及び複数個の第２の光源４２ｇ，４２ｈ，４２ｉ，・・・・・と第１の光学媒体６２の凹部との間にはそれぞれの界面で反射した光の成分が多重反射し、迷光成分となっているが、これらの迷光成分も、凹部の内部に閉じこめられているので、最終的には、照明に寄与出来る成分となり得る。
【００５６】
この様にして、本発明の第５の実施の形態に係る面状発光体によれば、少ない個数の第１の光源４１ａ，４１ｂ，４１ｃ，・・・・・，４２ｇ，４２ｈ，４２ｉ，・・・・・を用いて、室内照明やパーソナルコンピュータ等の液晶表示装置のバックライト照明に使用可能な、所望の照度を簡単に得ることができる。
【００５７】
なお、図７においては、複数個の第１の光源４１ａ，４１ｂ，４１ｃ，・・・・・を左側に、複数個の第２の光源４２ｇ，４２ｈ，４２ｉ，・・・・・を右側に配置し対向配置しているが、更に同様な複数個の第３の光源を図７に示す矩形の上辺に沿って配置し、数個の第４の光源を図７に示す矩形の下辺に沿って配置し、４辺を光源の配列で囲むような構成でもかまわない。
【００５８】
また、図７においては、第１の光学媒体６１及び第２の光学媒体６２とが、第１及び第２の出射面とを互いに対向するようにして平行配置されているが、４辺を光源の配列で囲むような構成では、同心四角形若しくは同心円上に段差部や曲面部を配列しても良い。例えば、円錐や半球状の斜面からほぼ均一に内側方向に光路を形成するように、幾何学的形状を設計しても良い。即ち、４辺のそれぞれに配列された複数の光源から発せられた光が、互いに中心線方向の傾斜の光路を維持しながら、図７（ａ）の上方に出射するような光学系を構成しても良い。同心四角形若しくは同心円上に段差部や曲面部を配列する場合は、光学媒体は一体で形成出来る。
【００５９】
（第６の実施の形態：面状発光体）
既に、第１及び第２の実施の形態において、本発明の発光体を複数個配列して照明器具等を構成出来ることを説明した。本発明の第６の実施の形態では、発光体の複数個配列の応用例について述べる。
【００６０】
図８に示すように、本発明の第６の実施の形態に係る面状発光体は、所定の波長の光を発する複数の光源２１１，２１２，２１３，・・・・・，２１６，２２１，・・・・・，２２６，２３１，・・・・・，２３６と、光源の主発光部を収納し、光源の光を一定の指向性で出射する複数の光学媒体１１１，１１２，１１３，・・・・・，１１６，１２１，・・・・・，１２６，１３１，・・・・・，１３６と、複数の光学媒体からの光を反射する平面鏡からなる主反射板１２と、主反射板と一定の角度をなして配置され、主反射板で反射した光を透過する半透明板１１とを少なくとも有する。そして、本発明の第６の実施の形態に係る面状発光体は、更に主反射板１２と半透明板１１との間に側面反射板（第１の側面反射板）１３が設けられている。図示を省略しているが、側面反射板１３に対向してもう一枚別の側面反射板（第２の側面反射板）が設けられている。複数の光源２１１，２１２，２１３，・・・・・，２１６，２２１，・・・・・，２２６，２３１，・・・・・，２３６は、後板１５により互いに固定されている。主反射板１２、半透明板１１、側面反射板（第１の側面反射板）１３、別の側面反射板（第２の側面反射板）及び後板１５により３角柱状の空洞が形成されている。図示を省略しているが、複数の光源２１１，２１２，２１３，・・・・・，２１６，２２１，・・・・・，２２６，２３１，・・・・・，２３６は、光源ソケットに接続され、所定の電圧が印加される。この複数の光学媒体１１１，１１２，１１３，・・・・・，１１６，１２１，・・・・・，１２６，１３１，・・・・・，１３６の束は、これを単独で用いても、種々の照明器具や信号灯として採用出来る。
【００６１】
本発明の第６の実施の形態に係る光学媒体１１６は、第１の実施の形態において図１を用いて示したと同様の構造をしている。他の複数の光学媒体１１２，１１３，・・・・・，１１６，１２１，・・・・・，１２６，１３１，・・・・・，１３６についても図１と同様の構造である。本発明の第６の実施の形態に係る複数の光学媒体１１１，１１２，１１３，・・・・・，１１６，１２１，・・・・・，１２６，１３１，・・・・・，１３６としては、光源２１１，２１２，２１３，・・・・・，２１６，２２１，・・・・・，２２６，２３１，・・・・・，２３６の発熱を考慮すると、耐熱性光学材料が好ましい。耐熱性光学材料としては、石英ガラス、サファイアガラス等の耐熱ガラスが好ましい。或いは、ポリサルホン樹脂、ポリエーテルサルホン樹脂、ポリカーボネイト樹脂、ポリエーテルエステルアミド樹脂、メタクリル樹脂、非晶性ポリオレフィン樹脂、パーフルオロアルキル基を有する高分子材料等の耐熱性樹脂等の耐熱性光学材料が使用可能である。酸化亜鉛（ＺｎＯ）、硫化亜鉛（ＺｎＳ）、炭化珪素（ＳｉＣ）等の結晶性材料でも良い。なお、光源２１１，２１２，２１３，・・・・・，２１６，２２１，・・・・・，２２６，２３１，・・・・・，２３６として、ＬＥＤ等の半導体発光素子を用いる場合は、発熱作用を伴わないので、アクリル樹脂等の、耐熱性が弱い樹脂を使用することが可能である。
【００６２】
主反射板１２、第１及び第２の側面反射板は、アルミニウム（Ａｌ）、真鍮、ステンレス等の金属の表面を研磨したものでも、更に、これらの表面にニッケル（Ｎｉ）鍍金や金（Ａｕ）鍍金を施したものでも良い。或いは、樹脂基板の表面にＡｌ箔等の反射率の高い金属薄膜や高反射性ポリエステル白色フィルム等を接着した構造でもかまわない。半透明板１１としては、高屈折率の白色微粉体例えばＴｉＯ２，ＣａＣＯ３，ＢａＳＯ４を樹脂等に分散させた樹脂板状体などの乳半板を用いれば良い（より具体的にはメタクリル樹脂乳半板等を用いれば良い。）。また半透明板１１は、乳半板或いは透明板の表面を粗面加工したもの、透明成形材料に他の光散乱粒子を混練し成形した樹脂板であっても良い。或いは、片面或いは両面に艶消しなどの粗面加工が施された樹脂フィルムを表面に貼りつけて半透明板１１を構成しても良い。更に、半透明板１１は光源の発光色に応じて、有色若しくは透明材料を採用可能である。
【００６３】
本発明の第６の実施の形態に係る面状発光体によれば、光源の数を多数必要とすることなく、広い面積に渡り均一且つ所望の照度を得ることが可能である。
【００６４】
なお、図８においては、複数の光学媒体１１１，・・・・・，１１６，１２１，・・・・・，１２６，１３１，・・・・・，１３６は、３×６マトリクス状に配置されているが、この様にマトリクス状配置に限定する必要はない。例えば、１層目の複数の光学媒体１３１，・・・・・，１３６と２層目の複数の光学媒体１２１，・・・・・，１２６とが互いに１／２ピッチずれ、２層目の複数の光学媒体１２１，・・・・・，１２６と３層目の複数の光学媒体１１１，・・・・・，１１６とが同様に互いに１／２ピッチずれた最稠密配置でも良いことは勿論である。
【００６５】
（第７の実施の形態：面状発光体）
図９（ａ）に示すように、本発明の第７の実施の形態に係る面状発光体は、複数の井戸型の凹部とこの凹部に対向した複数の凸部を有する一体型光学媒体３１と、複数の井戸型の凹部に収納された所定の波長の光を発する複数の光源２１１，２１２，２１３，・・・・・，２１６，２２１，・・・・・，２２６，２３１，・・・・・，２３６と、複数の凸部からの光を反射する平面鏡からなる主反射板１２（但し図９（ａ）の鳥瞰図においては裏面側になるので主反射板は明示されていない。）と、主反射板１２と一定の角度をなして配置され、主反射板１２で反射した光を透過する半透明板１１とを少なくとも有する。そして、本発明の第７の実施の形態に係る面状発光体は、更に主反射板１２と半透明板１１との間に側面反射板（第１の側面反射板）１３が設けられている。図９（ａ）の鳥瞰図において裏面側になるので図示を省略しているが、側面反射板１３に対向してもう一枚別の側面反射板（第２の側面反射板）が設けられている。一体型光学媒体３１は、後板１５によりに固定されている。主反射板１２、半透明板１１、側面反射板（第１の側面反射板）１３、別の側面反射板（第２の側面反射板）及び後板１５により３角柱状の空洞が形成されているのは第６の実施の形態と同様である。他は、第６の実施の形態での記載と重複するので、その説明を省略する。
【００６６】
この様に、一体型光学媒体３１を用意することにより、面状発光体の組立が容易になる。従って、第６の実施の形態において、多数の光学媒体を個別に製造する場合に比し、生産性が向上する。この一体型光学媒体３１は、これを単独で（裸で）用いても、十分な明るさとビームの平行性を有するので、種々の照明器具や信号灯として採用出来る。
【００６７】
図９（ｂ）は本発明の第７の実施の形態の変形例に係る面状発光体を示す模式的な鳥瞰図である。図９（ａ）に示す一体型光学媒体３１の外周面は複数の円柱面からなる波形形状であるが、図９（ｂ）に示す一体型光学媒体３２の外周面は平坦な面から構成されている点が異なる。他は、図９（ａ）に示すは本発明の第７の実施の形態に係る面状発光体と同様であるから、重複した説明を省略する。
【００６８】
図１０は本発明の第７の実施の形態の他の変形例に係る面状発光体を示す模式的な鳥瞰図で、図９（ｂ）に示す一体型光学媒体３２をユニットとして、２つのユニットを集合して大面積の面状発光体を構成した例である。即ち、図１０においては、第１の一体型光学媒体３２ａと第２の一体型光学媒体３２ｂとが隣接して配置されている。そして、第１の一体型光学媒体３２ａの複数の凹部には１８個の光源２１１ａ，２１２ａ，２１３ａ，・・・・・，２１６ａ，２２１ａ，・・・・・，２２６ａ，２３１ａ，・・・・・，２３６ａが、第２の一体型光学媒体３２ｂの複数の凹部には他の１８個の光源２１１ｂ，２１２ｂ，２１３ｂ，・・・・・，２１６ｂ，２２１ｂ，・・・・・，２２６ｂ，２３１ｂ，・・・・・，２３６ｂがそれぞれ収納されている。そして、図１０に示す本発明の第７の実施の形態の他の変形例に係る面状発光体は、更に平面鏡からなる主反射板８と、主反射板８と一定の角度をなして配置され、主反射板８で反射した光を透過する半透明板１６とを少なくとも有する。主反射板８及び半透明板１６は、図９（ｂ）に示す主反射板１２及び半透明板１１の２倍の面積である。
【００６９】
図１１は本発明の第７の実施の形態の更に他の変形例に係る面状発光体を示す模式的な鳥瞰図で、図９（ｂ）に示す一体型光学媒体３２をユニットとして、４つのユニットを集合し、図１０よりも更に大面積の面状発光体を構成した例である。即ち、図１１においては、第１の一体型光学媒体３２ａと第２の一体型光学媒体３２ｂとの隣接構造の下に、第３の一体型光学媒体３２ｃ及び第４の一体型光学媒体３２ｄとの隣接構造が配置された積層構造が形成されている。そして、図１１に示す面状発光体は、更に平面鏡からなる主反射板９と、主反射板９と一定の角度をなして配置され、主反射板９で反射した光を透過する半透明板１８とを少なくとも有する。主反射板９及び半透明板１８は、図９（ｂ）に示す主反射板１２及び半透明板１１の４倍の面積にすることも可能である。また、角度を選べば４倍の面積にしなくても良い。
【００７０】
（第８の実施の形態：面状発光体）
図１２に示すように、本発明の第８の実施の形態に係る面状発光体は、複数の光源２１１，・・・・・と、光源の主発光部を収納し、光源の光を一定の指向性で出射する複数の光学媒体３１１，３１２，３１３，３２１，３２２，３３１，３３２，３３３と、複数の光学媒体からの光を反射する平面鏡からなる主反射板１２と、主反射板と一定の角度をなして配置され、主反射板で反射した光を透過する半透明板１１とを少なくとも有する。複数の光学媒体３１１，３１２，３１３，３２１，３２２，３２３，３３１，３３２，３３３は、本発明の第６の実施の形態に係る面状発光体の光学媒体とは異なり、横方向に拡がった扁平な構造である。複数の光学媒体３１１，３１２，３１３と複数の光学媒体３２１，３２２とは互いに１／２ピッチずれて積層されている。更に、複数の光学媒体３２１，３２２と複数の光学媒体３３１，３３２，３３３とは、同様に互いに１／２ピッチずれて積層されている（但し、本発明の第６の実施の形態と同様な３×３マトリクス状に配置しても良いことは勿論である。）。そして、本発明の第８の実施の形態に係る面状発光体は、更に主反射板１２と半透明板１１との間に側面反射板（第１の側面反射板）１３が設けられている。図示を省略しているが、側面反射板１３に対向してもう一枚別の側面反射板（第２の側面反射板）が設けられている。複数の光源２１１・・・・・は、後板１５により互いに固定されている。主反射板１２、半透明板１１、側面反射板（第１の側面反射板）１３、別の側面反射板（第２の側面反射板及び）後板１５により３角柱状の空洞が形成されている。
【００７１】
図１２（ｂ）に示すように、本発明の第８の実施の形態に係る扁平な光学媒体３１１は長軸Ｗ及び短軸Ｈを有している。そしてこの扁平な光学媒体３１１は、光源２１１の主発光部をほぼ完全に覆うように構成されている。他の複数の扁平な光学媒体３１２，３１３，３２１，３２２，３２３，３３１，３３２，３３３についても同様である。扁平な光学媒体３１１の中心軸には、光源２１１の主発光部を収納するための井戸型の凹部が設けられ、この凹部は、入射面として機能する底部と入射面に対向して配置され、光を出射する出射面を有する。光源２１１が扁平な光学媒体３１１の凹部にほぼ完全に閉じこめられているので、これらの迷光成分が有効に照明に寄与出来るようになる。即ち、入射面（底部）以外の凹部側壁も、有効な光の入射部として機能し得るのである。また、光源２１１と扁平な光学媒体３１１の凹部との間にはそれぞれの界面で反射した光の成分が多重反射し、迷光成分となっている。これらの迷光成分も、本発明の第８の実施の形態においては、凹部の内部に閉じこめられているので、最終的には、照明に寄与出来る成分となり得る。この様にして、本発明の第８の実施の形態に係る扁平な光学媒体３１１によれば、光源２１１の数を多数必要とすることなく、照明に寄与する光ビームとして所望の照射面積の光束を確保し、広い面積に渡り均一且つ所望の照度を簡単に得ることができる。
【００７２】
他は、第６の実施の形態での記載と重複するので、その説明を省略する。
【００７３】
（第９の実施の形態：面状発光体）
本発明の第６乃至第８の実施の形態においては、一方向に光が出射する片面型の面状発光体について説明した。互に反対方向となる二方向に光が出射する両面型の面状発光体は、単純には片面型の面状発光体を互いに背中合わせに貼り合わせせれば良い。
【００７４】
図１３は、本発明の第９の実施の形態として、他の両面型の面状発光体を示す図である。即ち、図１３においては、第１の一体型光学媒体３３ａと第２の一体型光学媒体３３ｂとが平面鏡からなる主反射板４３を介して、互いに対向配置されている。主反射板４３は両面ミラーであり、第１の一体型光学媒体３３ａと第２の一体型光学媒体３３ｂとの間に斜めに配置されている。そして、第１の一体型光学媒体３３ａには１８個の凹部が設けられ、この１８個の凹部には図示を省略した１８個の光源が挿入されている。同様に、第２の一体型光学媒体３３ｂには１８個の凹部が設けられ、この１８個の凹部には他の１８個の光源２１１ｂ，２１２ｂ，２１３ｂ，・・・・・，２１６ｂ，２２１ｂ，・・・・・，２２６ｂ，２３１ｂ，・・・・・，２３６ｂがそれぞれ収納されている。そして、図１３に示す本発明の第９の実施の形態に係る両面型の面状発光体は、更に主反射板４３と一定の角度をなして配置され、主反射板４３で反射した光を透過する第１の半透明板７３と、この第１の半透明板７３と平行方向で、且つ主反射板４３に関して反対方向に配置された第２の半透明板７４を少なくとも有する。図１３において、主反射板４３の表面で反射された光は上方に、主反射板４３の裏面で反射された光は下方に出射する。他は、本発明の第７の実施の形態に係る面状発光体と同様であるから、重複した説明を省略する。
【００７５】
本発明の第９の実施の形態によれば、光源の数を多数必要とすることなく、均一且つ所望の照度の両面型の面状発光体を簡単に提供出来る。
【００７６】
（第１０の実施の形態：面状発光体）
図１４は、本発明の第１０の実施の形態として、他の片面型の面状発光体を示す図である。即ち、図１４においては、第１の一体型光学媒体３４ａと第２の一体型光学媒体３４ｂとが、Λ型の主反射板を介して、互いに対向配置されている。Λ型の主反射板は、平面鏡からなる第１の主反射板８５と第２の主反射板８６とから構成されている。第１の主反射板８５は、主に第１の一体型光学媒体３４ａからの光を反射する平面鏡であり、第２の主反射板８６は、主に第２の一体型光学媒体３４ｂからの光を反射する平面鏡である。そして、第１の一体型光学媒体３４ａには１８個の凹部が設けられ、この１８個の凹部には図示を省略した１８個の光源が挿入されている。同様に、第２の一体型光学媒体３４ｂには１８個の凹部が設けられ、この１８個の凹部には他の１８個の光源５１１ｂ，・・・・・，５１６ｂ，５２１ｂ，・・・・・，５２６ｂ，５３１ｂ，・・・・・，５３６ｂがそれぞれ収納されている。そして、図１４に示す本発明の第１０の実施の形態に係る面状発光体は、更に第１の主反射板８５と第２の主反射板８６と一定の角度をなして配置され、第１の主反射板８５と第２の主反射板８６で反射した光を透過する半透明板５３を有している。この半透明板５３と平行方向で、且つ第１の主反射板８５と第２の主反射板８６に関して反対方向には、底板５４が配置されている。図１４に示すように、第１の主反射板８５と第２の主反射板８６との接続部、即ちΛ型の頂部は、一定の距離ｄをなして、半透明板５３から離間している。半透明板５３から一定の距離ｄ離間させることにより、Λ型の頂部の陰が半透明板５３の表面から観察されないようにできる。他は、本発明の第７の実施の形態に係る面状発光体と同様であるから、重複した説明を省略する。
【００７７】
本発明の第１０の実施の形態に係る面状発光体によれば、光源の数を多数必要とすることなく、長手方向に長い寸法を有した広い面積を均一に照明出来る。
【００７８】
図１５は、本発明の第１０の実施の形態の変形例に係る面状発光体を示す模式的な鳥瞰図である。図１５においては、中央部に平面鏡からなる第１の主反射板８１、第２の主反射板８２、第３の主反射板８３及び第４の主反射板８４とからなるピラミッド（四角錐）が配置され、この四角錐の４つの底辺に沿って、それぞれ１２個の光学媒体が３層積層された３×１２＝３６個の光学媒体の集合からなる壁が設けられている。即ち、第１の主反射板８１を構成する２等辺三角形の底辺に沿って、光学媒体６２２ｄ，６２１ｄ，６２０ｄ，・・・・・，７２２ｄ，・・・・，８２２ｄが積層され、第２の主反射板８２を構成する２等辺三角形の底辺に沿って、光学媒体６１１ｃ，６１２ｃ，６１３ｃ，・・・・・，６２２ｃ，７１１ｃ，・・・・・，８１１ｃ，・・・・が積層されている。更に、第３の主反射板８３を構成する２等辺三角形の底辺に沿って、光学媒体６１１ｂ，・・・・・，６２２ｂ，７１１ｂ，・・・・・７２２ｂ，８１１ｂ，・・・・，８２２ｂが積層され、第４の主反射板８４を構成する２等辺三角形の底辺に沿って、光学媒体６１１ａ，・・・・・，６２２ａ，７１１ａ，・・・・・，７２２ａ，８１１ａ，・・・・，８２２ａが積層されている。光学媒体６１１ｂ，・・・・・，６２２ｂ，７１１ｂ，・・・・・７２２ｂ，８１１ｂ，・・・・，８２２ｂ及び光学媒体６１１ａ，・・・・・，６２２ａ，７１１ａ，・・・・・，７２２ａ，８１１ａ，・・・・，８２２ａの内部には、それぞれ光源６３１ｂ，・・・・・，６４２ｂ，７３１ｂ，・・・・・７４２ｂ，８３１ｂ，・・・・，８４２ｂ及び光源６３１ａ，・・・・・，６４２ａ，７３１ａ，・・・・・，７４２ａ，８３１ａ，・・・・，８４２ａが収納されている。図示を省略しているが、光学媒体６２２ｄ，６２１ｄ，６２０ｄ，・・・・・，７２２ｄ，・・・・，８２２ｄ及び光学媒体６１１ｃ，６１２ｃ，６１３ｃ，・・・・・，６２２ｃ，７１１ｃ，・・・・・，８１１ｃ，・・・・についてもそれぞれ光源が収納されていることは勿論である。この様にして、四角錐の周りを、３×１２×４＝１４４個の光学媒体の集合からなる壁が取り囲み、３×１２×４＝１４４個の光源が配置されている。そして、図１５に示すように、更に第１の主反射板８１、第２の主反射板８２、第３の主反射板８３及び第４の主反射板８４と一定の角度をなして配置され、第１の主反射板８１、第２の主反射板８２、第３の主反射板８３及び第４の主反射板８４で反射した光を透過する半透明板７９を有している。この半透明板７９と平行方向で、且つ第１の主反射板８１、第２の主反射板８２、第３の主反射板８３及び第４の主反射板８４に関して反対方向には、底板６５が配置されている。図示を省略しているが、図１４と同様に、四角錐の頂部は、一定の距離ｄをなして、半透明板７９から離間している。半透明板７９から一定の距離ｄ離間させることにより、四角錐の頂部の陰が半透明板７９の表面から観察されないようにできる。他は、本発明の第６の実施の形態に係る面状発光体と同様であるから、重複した説明を省略する。また、図１４と同様に一体型光学媒体を用いて、四角錐の周り取り囲むような構成も可能である。
【００７９】
図１５に示す本発明の第１０の実施の形態の変形例に係る面状発光体によれば、比較的薄型で大面積の面状発光体が提供出来る。このような大面積の面状発光体になればなるほど、光源の個数の削減効果が顕著になる。即ち、本発明の第１０の実施の形態の変形例に係る面状発光体では、光学媒体を使わない場合に比して１／４乃至１／１０程度以下の個数の光源を用いるのみで良いので、数百個レベルの光源の個数の削減が可能になり、面積当たりの単価が安くなる。
【００８０】
（その他の実施の形態）
上記のように、本発明は第１乃至第１０の実施の形態によって記載したが、この開示の一部をなす論述及び図面はこの発明を限定するものであると理解すべきではない。この開示から当業者には様々な代替実施の形態、実施例及び運用技術が明らかとなろう。
【００８１】
例えば、光学媒体２，２１，２４等の外側形状は、必ずしも光学的に平坦である必要はなく、クリスタルグラスのように、細かい凹凸を設けたものでもかまわない。細かい凹凸を設ければ、出力光は四方八方に発散するので、バックライト照明や間接照明の場合には、好都合である。
【００８２】
また、図１６に示すように入射面２と出射面３との間に異なる色の光伝送部４Ｒ，４Ｇ，４Ｂを形成しても良い。ここでは、光伝送部４Ｒは赤色の、光伝送部４Ｇは緑色の、光伝送部４Ｂは青色の光伝送部であるが、他の色でもかまわない。また、３つの異なる色に限られず、４つ以上若しくは２つ以下でもかまわない。２つ以下というのは、光伝送部のみが着色ガラスで、残余の光学媒体２５の部分は透明ガラスの場合や、残余の光学媒体２５の部分が、光伝送部とは異なる色の着色ガラスの場合等を含む意である。逆に、光伝送部のみが透明ガラスで、残余の光学媒体２５の部分が着色ガラスでも良い。
【００８３】
或いは、図１７に示すように出射面３の表面に、表示溝６６を設け、文字や模様を表示しても良い。或いは、出射面３の表面に、微細な凹凸を設け、文字や画像を表示しても良い。
【００８４】
本発明の第２の実施の形態においては、図４に示すように、光学媒体２５の後面に湾曲面からなる背面鏡５５を構成した構造を示した。背面鏡５５は特定の位置に焦点を結びたければ回転楕円体が好ましく、平行ビームとしたければ回転放物面が好ましい。しかし、目的によっては、背面鏡５７として、図１８に示すような円錐面等の他の幾何学形状が採用可能である。  
第６乃至第１０の実施の形態の説明においては、半透明板１１，１６，１８，４１，４２，５３，７９，９７のある構造について説明したが、半透明板の代わりに透明板を用いても良く、一定の目的のためには、半透明板や透明板を省略してもかまわない。また、これらの半透明板１１，１６，１８，４１，４２，５３，７９，９７や光学媒体１１１〜１１６，１２１〜１２６，１３１〜１３６，６１１ａ〜６２２ａ，７１１ａ〜７２２ａ，８１１ａ〜８２２ａ，・・・・・或いは一体型光学媒体３１，３２等は蛍光材を含んだものや有色材でもかまわない。
【００８５】
更に、光学媒体１１１〜１１６，１２１〜１２６，１３１〜１３６，６１１ａ〜６２２ａ，７１１ａ〜７２２ａ，８１１ａ〜８２２ａ，・・・・・の光軸は必ずしも半透明板若しくは透明板と平行方向である必要はない。更に、複数の光学媒体１１１〜１１６，１２１〜１２６，１３１〜１３６の光軸がすべて平行である必要はない。
【００８６】
更に、図１３若しくは図１４の構造において、一体型光学媒体３３ａ，３３ｂ，３４ａ，３４ｂの代わりに第１乃至第２の実施の形態で説明した光学媒体を用いて構成しても良いことは勿論である。逆に、図１５の構造に用いた光学媒体の代わりに一体型光学媒体を用いて構成しても良い。
【００８７】
この様に、本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００８８】
【図１】本発明の第１の実施の形態に係る発光体を示す模式的な断面図である。
【図２】本発明の第１の実施の形態の変形例（変形例１）に係る発光体を示す模式的な断面図である。
【図３】本発明の第１の実施の形態の変形例（変形例２）に係る発光体を示す模式的な断面図である。
【図４】本発明の第２の実施の形態に係る発光体を示す模式的な断面図である。
【図５】本発明の第３の実施の形態に係る発光体を示す模式的な断面図である。
【図６】図６（ａ）は、本発明の第４の実施の形態に係る棒状発光体を示すための軸方向に沿った模式的な断面図で、図６（ｂ）は図６（ａ）のＡ−Ａ方向から見た断面図である。
【図７】図７（ｂ）は、本発明の第５の実施の形態に係る面状発光体の模式的な上面図で、図７（ａ）は図７（ｂ）のＢ−Ｂ方向から見た模式的な断面図である。
【図８】本発明の第６の実施の形態に係る面状発光体を示す模式的な鳥瞰図である。
【図９】図９（ａ）は本発明の第７の実施の形態に係る面状発光体を示す模式的な鳥瞰図で、図９（ｂ）は本発明の第７の実施の形態の変形例に係る面状発光体を示す模式的な鳥瞰図である。
【図１０】本発明の第７の実施の形態の他の変形例に係る面状発光体を示す模式的な鳥瞰図である。
【図１１】本発明の第７の実施の形態の更に他の変形例に係る面状発光体を示す模式的な鳥瞰図である。
【図１２】本発明の第８の実施の形態に係る面状発光体を示す模式的な鳥瞰図である。
【図１３】本発明の第９の実施の形態に係る面状発光体を示す模式的な鳥瞰図である。
【図１４】本発明の第１０の実施の形態に係る面状発光体を示す模式的な鳥瞰図である。
【図１５】本発明の第１０の実施の形態の変形例に係る面状発光体を示す模式的な鳥瞰図である。
【図１６】本発明の他の実施の形態に係る発光体を示す模式的な断面図である。
【図１７】本発明の更に他の実施の形態に係る発光体を示す模式的な断面図である。
【図１８】本発明の更に他の実施の形態に係る発光体を示す模式的な断面図である。
【符号の説明】
【００８９】
１，１ａ〜１ｄ  光源
２，２ａ〜２ｄ  入射面
３  出射面
４，４Ｒ，４Ｇ，４Ｂ  光伝送部
５，５ａ〜５ｄ  凹部側壁
６，６ａ〜６ｄ  凹部
８，９，１２，４３，７６，９６  主反射板
１１，１６，１８，５３，７９，９７  半透明板
１３，１９，４４，５６，７７，９８、９９  側面反射板
１５，１７  後板
２０，２１，２５，２６  光学媒体
２２  第１の光学媒体
２３  第２の光学媒体
２４  第３の光学媒体
２７  第１のピン
２８  第２のピン
３１，３２  一体型光学媒体
３２ａ，３３ａ，３４ａ  第１の一体型光学媒体
３２ｂ，３３ｂ，３４ｂ  第２の一体型光学媒体
３２ｃ  第３の一体型光学媒体
３２ｄ  第４の一体型光学媒体
３４  第１の終端部
３５  第２の終端部
３６  外周部
３７  底板
３８，７１  外側カバー
４１，４１ａ，４１ｂ，４１ｃ，・・・・・  第１の光源
４２，４２ｇ，４２ｈ，４２ｉ，・・・・・  第２の光源
５１，６１  第１の光学媒体
５２，６２  第２の光学媒体
５４，６５  底板
５５，５７  背面鏡
６６  表示溝
７２  反射板
７３  第１の半透明板
７４  第２の半透明板
８１，８５  第１の主反射板
８２，８６  第２の主反射板
８３  第３の主反射板  
８４  第４の主反射板  
９１，９２  リード
９３，９４  絶縁体
１１１〜１１６，１２１〜１２６，１３１〜１３６，６１１ａ〜６２２ａ，７１１ａ〜７２２ａ，８１１ａ〜８２２ａ，・・・・・  光学媒体
８６，２１１〜２１６，２２１〜２２６，２３１〜２３６，６３１ｂ〜６４２ｂ，７３１ｂ〜７４２ｂ，８３１ｂ〜８４２ｂ，・・・・光源
３１１〜３１２，３２１、３２２，３３１〜３３２  他の光学媒体
【図１】
2004214208.tif 000003
【図２】
2004214208.tif 000004
【図３】
2004214208.tif 000005
【図４】
2004214208.tif 000006
【図５】
2004214208.tif 000007
【図６】
2004214208.tif 000008
【図７】
2004214208.tif 000009
【図８】
2004214208.tif 000010
【図９】
2004214208.tif 000011
【図１０】
2004214208.tif 000012
【図１１】
2004214208.tif 000013
【図１２】
2004214208.tif 000014
【図１３】
2004214208.tif 000015
【図１４】
2004214208.tif 000016
【図１５】
2004214208.tif 000017
【図１６】
2004214208.tif 000018
【図１７】
2004214208.tif 000019
【図１８】
2004214208.tif 000020